(57)【要約】【課題】  簡単な手段で、広範囲の壁の厚さに対応可能な配管保護装置を提供できるようにする。【解決手段】  基端部に鍔部７が一体成型され、少なくとも先端部の外周に雄螺子部８が形成された合成樹脂製のスリーブ筒９と、このスリーブ筒の雄螺子部８に螺合するナット体１０とを備え、スリーブ筒９の雄螺子部８にナット体１０を螺合し、このナット体１０と鍔部７とによって、壁穴５にスリーブ筒９を挿入状態にして固定する構造の配管保護装置Ａである。そして、スリーブ筒９は、長さ方向に所定の間隔を設けた複数箇所に、それぞれ連結具を挿入可能とした大きさの連結具挿入穴１１、１２を複数個づつ設けた構成である。【選択図】      図１
2006017206.tif 000002
【特許請求の範囲】
【請求項１】
基端部に鍔部が一体成型され、少なくとも先端部の外周に雄螺子部が形成された合成樹脂製のスリーブ筒と、このスリーブ筒の雄螺子部に螺合するナット体とを備え、前記スリーブ筒の雄螺子部に前記ナット体を螺合し、このナット体と前記鍔部とによって、壁穴に前記スリーブ筒を挿入状態にして固定する構造の配管保護装置であって、
前記スリーブ筒は、長さ方向に所定の間隔を設けた複数箇所に、それぞれ連結具を挿入可能とした大きさの連結具挿入穴を複数個づつ設けたことを特徴とする配管保護装置。
【請求項２】
前記スリーブ筒には、それの長さ方向における一方の連結具挿入穴と他方の連結具挿入穴との間の外表面に、このスリーブ筒の途中を切断する際の切断位置を示す切断位置指示用表示が施されていることを特徴とする請求項１に記載の配管保護装置。
【請求項３】
前記切断位置指示用表示は、円周方向に設けられた切断指示線であることを特徴とする請求項２に記載の配管保護装置。
【請求項４】
前記連結具挿入穴は、直径が約３〜７ｍｍに設定された円形穴であることを特徴とする請求項１に記載の配管保護装置。
【発明の詳細な説明】
【技術分野】
【０００１】
本発明は、住宅の壁穴に挿通される分離型空気調和機等の配管を保護する配管保護装置に関し、特に、壁の厚さが、個人住宅などの通常寸法のものや、集合住宅における厚壁など、広範囲の壁厚に取付け可能とした配管保護装置に関する。
【背景技術】
【０００２】
従来一般に、この種の配管保護装置としては、例えば、特許文献１に記載されているように、スリーブ筒と、このスリーブ筒の室内側の一端部に外嵌めされる筒部及び壁穴の周囲に当てられる鍔部を一体に有してなる保護部材とで構成されたものが知られている。
【０００３】
また、基端部に鍔部が一体成型されると共に、外周に雄螺子部が形成された合成樹脂製のスリーブ筒と、このスリーブ筒の雄螺子部に螺合するナット体とを備え、スリーブ筒の雄螺子部にナット体を螺合し、このナット体とスリーブ筒の鍔部とによって、壁穴にスリーブ筒を挿入状態として固定するものも、先に開発されている。
【特許文献１】特開平５−２６３７８号公報
【発明の開示】
【発明が解決しようとする課題】
【０００４】
ところで、上記特許文献１に記載のものや、先行開発技術のものでは、スリーブ筒の長さが予め設定されているため、壁の厚さに対して広範囲に適応させることが困難であった。
【０００５】
本発明は、上述の実情に鑑みてなされたものであり、簡単な手段で、広範囲の壁の厚さに対応可能な配管保護装置を提供できるようにすることを目的としている。
【課題を解決するための手段】
【０００６】
請求項１に記載の発明では、基端部に鍔部が一体成型され、少なくとも先端部の外周に雄螺子部が形成された合成樹脂製のスリーブ筒と、このスリーブ筒の雄螺子部に螺合するナット体とを備え、前記スリーブ筒の雄螺子部に前記ナット体を螺合し、このナット体と前記鍔部とによって、壁穴に前記スリーブ筒を挿入状態にして固定する構造の配管保護装置であって、前記スリーブ筒は、長さ方向に所定の間隔を設けた複数箇所に、それぞれ連結具を挿入可能とした大きさの連結具挿入穴を複数個づつ設けたことを特徴とする。
【０００７】
また、請求項２に記載の発明では、請求項１に記載の配管保護装置において、前記スリーブ筒には、それの長さ方向における一方の連結具挿入穴と他方の連結具挿入穴との間の外表面に、このスリーブ筒の途中を切断する際の切断位置を示す切断位置指示用表示が施されていることを特徴とする。
【０００８】
また、請求項３に記載の発明では、請求項２に記載の配管保護装置において、前記切断位置指示用表示は、円周方向に設けられた切断指示線であることを特徴とする。
【０００９】
また、請求項４に記載の発明では、請求項１に記載の配管保護装置において、前記連結具挿入穴は、直径が約３〜７ｍｍに設定された円形穴であることを特徴とする。
【発明の効果】
【００１０】
請求項１に記載の配管保護装置によれば、基端部に鍔部が一体成型され、少なくとも先端部の外周に雄螺子部が形成された合成樹脂製のスリーブ筒と、このスリーブ筒の雄螺子部に螺合するナット体とを備え、前記スリーブ筒の雄螺子部に前記ナット体を螺合し、このナット体と前記鍔部とによって、壁穴に前記スリーブ筒を挿入状態にして固定する構造の配管保護装置であって、前記スリーブ筒は、長さ方向に所定の間隔を設けた複数箇所に、それぞれ連結具を挿入可能とした大きさの連結具挿入穴を複数個づつ設けた構成であるから、前記スリーブ筒をそのままで使用したり、スリーブ筒の途中を切断して２つの分割スリーブ筒として使用することが可能になり、スリープ筒に複数個の連結具挿入穴を開けるという簡単な手段で、取り付ける壁の厚さに対して広範囲に対応させることができると共に、スリーブ筒の鍔部とスリーブ筒の雄螺子部に螺合するナット体とを用いたネジ止め方式による壁への固定であるから、固定作業を簡便となせる。
【００１１】
また、請求項２に記載の配管保護装置によれば、前記スリーブ筒には、それの長さ方向における一方の連結具挿入穴と他方の連結具挿入穴との間の外表面に、このスリーブ筒の途中を切断する際の切断位置を示す切断位置指示用表示が施されているから、スリーブ筒を切断して厚壁に対応させる際、切断箇所を取付け作業者に明確に知らせることが可能になる。
【００１２】
また、請求項３に記載の配管保護装置によれば、前記切断位置指示用表示は円周方向に設けられた切断指示線であるから、取付け作業者は、その切断指示線に沿ってスリーブ筒を切断すれば良く、失敗の少ないスリーブ筒の切断が可能になる。
【００１３】
また、請求項４に記載の配管保護装置によれば、前記連結具挿入穴は、直径が約３〜７ｍｍに設定された円形穴であるから、穴開け加工が容易でありながら、連結具の挿通にも適している。
【発明を実施するための最良の形態】
【００１４】
次に、本発明における配管保護装置の実施の一形態を、図１〜図１１を用いて説明する。図において、１は室内を空気調和する分離型空気調和機の室内ユニット２が設置される被空気調和室の壁であり、この壁１には、冷媒配管３、ドレン配管（図示せず）及び室内を換気（給気・排気）するために用いられる換気用配管４などの各種配管を挿通する壁穴５が設けられており、この壁穴５には、本発明における配管保護装置Ａが取り付けられる。
【００１５】
図３に示すように、前記室内ユニット２は、室内の天井近くの壁面に固定される裏板２Ａを有し、この裏板２Ａを介して壁１（図３においては壁を図示せず）に設置される。また、前記裏板２Ａの左右の下隅部には切欠き部６、６が形成されており、これら切欠き部６、６のうち、どちら一方の切欠き部６の近くに前記壁穴５を設けるものである。
【００１６】
前記壁穴５は、それの直径を約６５ｍｍに設定して開けるのが一般的である。そして、図４に示すように、前記壁穴５は、室内側から室外側（屋外側）に向かって下り勾配となるように、水平方向に対して約５度の傾斜角度を持って傾斜させて開けるのが良いが、傾斜させずに水平に開けてもよい。また、前記壁穴５は、住宅の形態によって、予め穴開けされている場合や、図７に示すように、穴開けされた壁穴５に対して、予め保護筒Ｈが取り付けられている場合も多々ある。
【００１７】
図１〜図４に示すように、前記配管保護装置Ａは、基端部に外向きの鍔部７が一体成型されると共に先端部の外周に雄螺子部８が形成された合成樹脂製のスリーブ筒９と、このスリーブ筒９の前記雄螺子部８に螺合する合成樹脂製のナット体１０とを備えた概略構成である。
【００１８】
図４に示すように、前記鍔部７は、スリーブ筒９に対して僅かに傾斜する状態で設けられると共に、図１、図２及び図４に示すように、この鍔部７には、学前記壁穴５にスリーブ筒９を挿入して取り付ける際の下側位置を示すカット部７Ａが設けてあり、そのカット部７Ａを下にして、スリーブ筒９を室内側から室外側へ向けて壁穴５に挿入し、室外側に突出した雄螺子部８に前記ナット体１０を螺合して締め付けることにより、前記鍔部７は壁穴５の周囲の壁面に直接またはパッキン２８（図８を参照）を介して当接する。
【００１９】
前記スリーブ筒９は、全体の長さ寸法が約２２０ｍｍに設定されると共に、それの内径寸法が約５９ｍｍに、また、外径寸法が約６４ｍｍに設定されている。また、前記鍔部７から先端までの長さ方向における先端部側の約１／２〜２／５に相当する部分の外周に前記雄螺子部８が形成されており、この雄螺子部８の端の位置から前記鍔部７に至るまでの基端部側の外周には、螺子部が形成されておらず、その螺子部の無い円筒部分の外径寸法は、雄螺子部８が形成された部分の外径寸法よりも小径の約６２ｍｍに形成されている。
【００２０】
そして、前記スリーブ筒９には、図２に示すように、長さ方向に所定の間隔を設けた第１箇所Ｂと第２箇所Ｃの円周方向に、それぞれ後述する連結具を挿入可能とした大きさ、即ち、径を約３〜７ｍｍ（実施の一形態では約５ｍｍ）に設定した大きさの、第１の連結具挿入穴１１、１１と、第２の連結具挿入穴１２、１２とが、それぞれ複数個（例えば、２〜４個）設けられている。さらに、前記スリーブ筒９には、前記第２の連結具挿入穴１２よりも先端部寄りの適所に、やはり、径が約３〜７ｍｍに設定された大きさの一つの穴１３が設けられている。
【００２１】
図１、図２及び図４中に示す１４は、切断位置指示用表示としての切断指示線であり、この切断指示線１４は、前記スリーブ筒９の長さ方向における第１の連結具挿入穴１１と第２の連結具挿入穴１２との間の外表面の円周方向に設けられ、前記スリーブ筒９の途中を切断する際の切断位置を示すものである。
【００２２】
また、図１に示すように、前記ナット体１０は、前記スリーブ筒９の雄螺子部８に対しての螺合による締め付けが容易となるように、それの外周部全周に連続した凹凸部１５が形成されている。
【００２３】
ここで、図５に示すように、室外側における壁穴５の周囲の壁面には、給気ユニット１６の第１の支持板１７が壁１に当接する形で配置されている。前記給気ユニット１６は、前記換気用配管４を介して外気を室内ユニット２へ強制的に導入するためのものである。
【００２４】
前記第１の支持板１７には、環状の第２の支持板１８がネジ（図示せず）止めされる。そして、スリーブ筒６の雄螺子部８が、前記第１の支持板１７及び第２の支持板１８に貫通され、これら第１の支持板１７及び第２の支持板１８を貫通した雄螺子部８に前記ナット体１０が螺合される。
【００２５】
前記ナット体１０と前記鍔部７とは、壁１と第１の支持板１７及び第２の支持板１８を室外側と室内側の双方から挟持する形になり、こうして、スリーブ筒９は壁穴５に挿入された状態で壁１に固定されると共に前記給気ユニット１６の第１の支持板１７及び第２の支持板１８も壁１に固定されることになる。
【００２６】
尚、図４は、第１の支持板１７に環状の第２の支持板１８をネジ止めする前、また、前記ナット体１０を前記雄螺子部８の奥部まで締め付ける前の状態を図示しているため、第１の支持板１７に対し、第２の支持板１８とナット体１０が互いに離れて図示されているが、第２の支持板１８が第１の支持板１７にネジ止めされ、また、前記ナット体１０の締め付けが完了すると、前記ナット体１０は、第１及び第２の支持板１７、１８を介して、室外側における壁穴５の周囲の壁面に当接するものである。
【００２７】
図３及び図５に示すように、前記給気ユニット１６は、外カバー１９を有し、この外カバー１９は、前記スリーブ筒９に挿通して室外へ導出された冷媒配管３の導出部分の一部を覆う共に、内部には換気のための給気用送風機２０及び給気用送風機２０の組み付け台２１が組み込まれる構造になっており、前記組み付け台２１は、前記第１の支持板１７にネジ２２止めされ、また、前記給気用送風機２０の吸い込み口部２３には、前記換気用配管４が接続される。
【００２８】
これまでの説明による本発明の配管保護装置Ａは、一般的な住宅の壁の厚さ、即ち、壁厚Ｔが約１９０ｍｍの壁１に対応させてスリーブ筒９を壁穴５に挿入固定する場合を示すものである。
【００２９】
次に、本発明の配管保護装置Ａを、マンション等の集合住宅において、壁厚Ｔが例えば約１９０〜４８０ｍｍで、かつ、壁穴５の径が約６５ｍｍ以上の壁１に取り付ける場合について説明する。
【００３０】
図６〜図９に示すように、壁厚Ｔが約１９０〜３００ｍｍの場合には、先ず、前記スリーブ筒９を、切断位置指示用表示としての切断指示線１４に沿って、金ノコギリなどの切断具（図示せず）を用いて切断し、前記鍔部７が設けられた第１の分割スリーブ筒９Ａと、雄螺子部８が形成された第２の分割スリーブ筒９Ｂとに２分割する。
【００３１】
そして、図６に示すように、２分割された第１の分割スリーブ筒９Ａと第２の分割スリーブ筒９Ｂは、それらの第１及び第２の連結具挿入穴１１、１２に、帯状の連結具としての合成樹脂製で可撓性の結束バンド２５、２５を通し、これら結束バンド２５、２５を結束することによって互いに連結される。
【００３２】
次に、結束バンド２５を介して連結された前記１及び第２の分割スリーブ筒９Ａ、９Ｂは、図７に示すように、第２の分割スリーブ筒９Ｂの穴１３に、引っ張り紐として利用する別の結束バンド２６を通し、この結束バンド２６を室外側より壁穴５の外へ引き出す。こうすると、第１の分割スリーブ筒９Ａと第２の分割スリーブ筒９Ｂは、前記壁穴５に挿入され、第２の分割スリーブ筒９Ｂの雄螺子部８が壁穴５から室外側へ突出する。
【００３３】
そして、室外側へ突出した第２の分割スリーブ筒９Ｂの雄螺子部８を、前記第１及び第２の支持板１７、１８に貫通させた後、前記雄螺子部８に前記ナット体１０を螺合して、その後に前記穴１３から結束バンド２６を取り除く。
【００３４】
こうして、前記ナット体１０を締め付けて行くと、このナット体１０と前記第１の分割スリーブ筒９Ａの鍔部７とが、壁１と前記第１及び第２の支持板１７、１８とを室外側と室内側の双方から挟持する形になる。このように、結束バンド２５、２５で連結された第１及び第２の分割スリーブ筒９Ａ、９Ｂは、壁穴５に挿入された状態で壁１に固定されると共に、前記給気ユニット１６の第１の支持板１７及び第２の支持板１８も壁１に固定されることになる。
【００３５】
尚、図８は、第１の支持板１７に環状の第２の支持板１８をネジ止めする前、また、前記ナット体１０を前記雄螺子部８の奥部まで締め付ける前の状態を図示しているため、第１の支持板１７に対し、第２の支持板１８とナット体１０とが互いに離れて図示されているが、前記第１の支持板１７に第２の支持板１８がネジ止めされ、また、前記ナット体１０の締め付けが完了すると、前記ナット体１０は、第1及び第２の支持板１７、１８を介して、室外側における壁穴５の周囲の壁面に当接するものである。
【００３６】
図８中の２８は、第１の分割スリーブ筒９Ａの鍔部７と壁１との間に介在させるパッキンを示し、また、２９は第１の支持板１７と壁１との間に介在させるパッキンを示している。これらパッキン２８、２９は、壁１の厚さに対する調整で使用したり或いは、シール性を高めるために必要に応じて使用する。
【００３７】
また、図９は、本発明の配管保護装置Ａを、壁厚Ｔが約３００〜４８０ｍｍの壁１に取り付ける場合を示しており、この場合、前記第１の分割スリーブ筒９Ａと第２の分割スリーブ筒９Ｂは、２本づつの結束バンド２５、２５を介して（結束バンドを４本使用して）連結する。
【００３８】
また、図１０は、本発明の配管保護装置Ａを、壁厚Ｔが約３００〜４８０ｍｍで、かつ、壁穴５の径が約６０〜６４ｍｍの壁１に取り付ける場合を示している。この場合、前記第１の分割スリーブ筒９Ａと第２の分割スリーブ筒９Ｂは、３本づつの結束バンド２５、２５、２５を介して（結束バンドを６本使用して）連結すると共に、第２の分割スリーブ筒９Ｂに関しては、外径寸法が約６２ｍｍと成されている雄螺子部８の無い部分のみを壁穴５に挿入し、第１の分割スリーブ９Ａは外径寸法が約６２ｍｍであるため、全体を壁穴５に挿入する。
【００３９】
また、図１１は、本発明の配管保護装置Ａにおける前記第１の分割スリーブ筒９Ａと第２の分割スリーブ筒９Ｂとを、上述の結束バンドに換えて、表面が色付の被膜で覆われたカラーワイヤーなどの一本の金属線材３０を用いて連結する場合を示すものである。
【００４０】
この場合、第１の分割スリーブ筒９Ａに設けられる第１の連結具挿入穴１１、１１は、図１１に示すように、鍔部７に近付けて設ける。
【００４１】
即ち、一本の金属線材３０の両端を、第２の分割スリーブ筒９Ｂに設けられた第２の連結具挿入穴１２、１２の二つに外から内へ向けて通した後、その金属線材３０の両端を、それぞれ第１の分割スリーブ筒９Ａに設けられた第１の連結具挿入穴１１、１１の二つに内側から外へ通した後、この第１の連結具挿入穴１１、１１から第１の分割スリーブ筒９Ａの外側に出た金属線材３０の両端を捻じる固定する。
【００４２】
この図１１に示した金属線材３０を連結具として用いる場合、壁穴５を開けた壁１の壁厚Ｔが例えば、約４００ｍｍの厚壁であっても１本の金属線材を用いて容易に可能である。
【００４３】
以上説明したように、本発明の配管保護装置Ａは、基端部に鍔部７が一体成型され、長さ方向の少なくとも先端部の外周に雄螺子部８が形成され、この雄螺子部８の始端部分から前記鍔部７に至るまでの基端部側の外周には螺子部が形成されて無く、また、全体の長さ寸法が約２２０ｍｍに設定された合成樹脂製のスリーブ筒９と、このスリーブ筒９の前記雄螺子部８に螺合するナット体１０とを備えており、前記スリーブ筒９には、長さ方向に所定の間隔を設けた第１箇所Ｂと第２箇所Ｃに、それぞれ連結具を挿入可能とするように径を約３〜７ｍｍに設定した大きさの第１の連結具挿入穴１１、１１と、第２の連結具挿入穴１２、１２とが、それぞれ円周方向に２〜４個づつ設けられている構成である。
【００４４】
そのため、スリーブ筒９を切断せずにそのままで使用する場合や、スリーブ筒９の途中を金ノコギリ等の切断具を用いて切断し、２つの分割スリーブ筒９Ａ、９Ｂとして使用することが可能になり、これら分割スリーブ筒９Ａ、９Ｂの連結具挿入穴１１、１２を利用して、結束バンド２５や金属線材３０を用いて分割スリーブ筒９Ａ、９Ｂを連結させることにより、この配管保護装置Ａが取り付けられる壁１の厚さ（壁厚Ｔ）を、約１６０〜４００ｍｍの広範囲に対応させることができる。
【００４５】
しかも、スリーブ筒９の鍔部７と、スリーブ筒９の雄螺子部８に螺合するナット体１０を用いたネジ止め方式による壁１への固定であるから、固定作業を簡便となせる。
【００４６】
また、前記スリーブ筒９は、それの長さ方向における第１の連結具挿入穴１１と第２の連結具挿入穴１２との間の外表面に、このスリーブ筒９の途中を切断する際の切断位置を示す切断位置指示用表示としての切断指示線１４が施されているから、スリーブ筒９を切断して例えば約１６０ｍｍ以上の厚壁に対応させる際、取付け作業者に切断箇所を明確に知らせることが可能になる。
【００４７】
また、切断指示線１４は、スリーブ筒９の円周方向に設けられているから、この切断指示線１４に沿ってスリーブ筒９を切断すれば良く、失敗の少ないスリーブ筒９の切断が可能になる。
【００４８】
また、前記第１及び第２の連結具挿入穴１１、１２は、直径が約３〜７ｍｍに設定された円形穴であるから、穴開け加工が容易でありながら、結束バンド２５や金属線材３０を含む連結具の挿通にも適した大きさである。
【００４９】
また、上述したように、分割スリーブ筒９Ａ、９Ｂを、連結具としてカラーワイヤーなどの一本の金属線材３０を用いて連結することにより、分割スリーブ筒９Ａ、９Ｂの連結作業性を高めることができると共に、コスト面及び部品点数面で有効である。
【図面の簡単な説明】
【００５０】
【図１】図１は本発明にかかる配管保護装置の実施の一形態を示す分解斜視図である。
【図２】図２は同じくスリーブ筒単体の斜視図である。
【図３】図３は壁を除いた状態の本発明における配管保護装置の使用状態を説明する説明図である。
【図４】図４は本発明にかかる配管保護装置を壁に取り付ける状態を説明するための説明図である。
【図５】図５は本発明にかかる配管保護装置に組み付けられる給気ユニットの組み付けを説明するための説明図である。
【図６】図６は２つに分割した分割スリーブ筒を結束バンドで連結する場合を説明する説明図である。
【図７】図７は図６に示す分割スリーブ筒を壁穴に挿入する状態を説明するための説明図である。
【図８】図８は図６に示す分割スリーブ筒を用いた配管保護装置を壁に取り付ける状態を説明するための説明図である。
【図９】図９は分割スリーブ筒の雄螺子部が壁穴に挿入可能な場合の配管保護装置の取付けを説明するための説明図である。
【図１０】図１０は分割スリーブ筒の雄螺子部が壁穴に挿入不可能な場合の配管保護装置の取付けを説明するための説明図である。
【図１１】図１１は２つに分割した分割スリーブ筒を金属線材で連結する場合を説明する説明図である。
【符号の説明】
【００５１】
Ａ    配管保護装置
Ｔ    壁厚
１    壁
３    冷媒配管（配管）
４    換気用配管（配管）
５    壁穴
７    鍔部
８    雄螺子部
９    スリーブ筒
９Ａ  第１の分割スリーブ筒
９Ｂ  第２の分割スリーブ筒
１０    ナット体
１１    第１の連結具挿入穴（連結具挿入穴）
１２    第２の連結具挿入穴（連結具挿入穴）
１３    雄螺子部の穴
１４    切断指示線（切断位置指示用表示）
２５    結束バンド（連結具）
３０    金属線材（連結具）
【図１】
2006017206.tif 000003
【図２】
2006017206.tif 000004
【図３】
2006017206.tif 000005
【図４】
2006017206.tif 000006
【図５】
2006017206.tif 000007
【図６】
2006017206.tif 000008
【図７】
2006017206.tif 000009
【図８】
2006017206.tif 000010
【図９】
2006017206.tif 000011
【図１０】
2006017206.tif 000012
【図１１】
2006017206.tif 000013